(57)【要約】【課題】  足場用パネルを縦横自在に連結するための連結具を提供すること。【解決手段】  嵌合パイプの軸方向一端にクランプを、他端にフレームパイプの外周に被せられる開口部を設け、クランプに単管パイプ等を保持・解放可能な開閉機構を設けた。嵌合パイプの軸方向一端に径可変連結具を取り付けてもよい。径可変連結具はフレームパイプ内に差込んで拡径することによりフレームパイプの内面に接触可能であり、縮径することによりフレームパイプの内面から離すことができるものである。嵌合パイプの軸方向一端に横長ベースを取り付け、ベースに一又は二以上クランプを固定又は位置調節可能に取り付けた。嵌合パイプの軸方向一端には前記径可変連結具を取り付けることもできる。径可変連結具は、半径の異なる２つの半縦割状パイプが対向したものであり、調節ボルトにより両者の間隔を変えられるものであってもよい。【選択図】図１
2011106125.tif 000002
【特許請求の範囲】
【請求項１】
足場用パネルに補充パネルを連結するのに使用される足場用パネル連結具であって、足場用パネルのフレームパイプに連結可能な嵌合パイプの軸方向一端にクランプを備え、嵌合パイプはその一端がフレームパイプの外周に被せることができる開口部を備え、クランプはフレームパイプ又は単管パイプを保持・解放可能な開閉機構を備えたことを特徴とする足場用パネル連結具。
【請求項２】
足場用パネルに補充パネルを連結するのに使用される足場用パネル連結具であって、足場用パネルのフレームパイプに連結可能な嵌合パイプと径可変連結具とクランプを備え、径可変連結具は嵌合パイプの軸方向一端にその端部より外に突出して取り付けられ、足場用パネルのフレームパイプ内に差込んで拡径することによりフレームパイプの内面に接触可能であり、縮径することによりフレームパイプの内面から離すことができ、クランプはフレームパイプ又は単管パイプを保持・解放可能な開閉機能を備えたことを特徴とする足場用パネル連結具。
【請求項３】
足場用パネルに補充パネルを連結するのに使用される足場用パネル連結具であって、足場用パネルのフレームパイプに連結可能な嵌合パイプとベースとクランプを備え、嵌合パイプはその一端をフレームパイプに被せることができる開口部を備え、ベースは横長であり、嵌合パイプの軸方向一端にその一端を横切って取り付けられ、クランプはフレームパイプ又は単管パイプを保持・解放可能な開閉機構を備え、ベースに固定又は位置調節可能に一又は二以上取り付けられたことを特徴とする足場用パネル連結具。
【請求項４】
足場用パネルに補充パネルを連結するのに使用される足場用パネル連結具であって、足場用パネルのフレームパイプに連結可能な嵌合パイプと径可変連結具とクランプを備え、径可変連結具は嵌合パイプの軸方向一端にその端部より外に突出して取り付けられ、足場用パネルのフレームパイプ内に差込んで拡径することによりフレームパイプの内面に接触可能であり、縮径することによりフレームパイプの内面から離すことができ、ベースは横長であり、嵌合パイプの軸方向一端にその一端を横切って取り付けられ、クランプはフレームパイプ又は単管パイプを保持・解放可能な開閉機能を備え、ベースに固定又は位置調節可能に一又は二以上取り付けられたことを特徴とする足場用パネル連結具。
【請求項５】
請求項２又は請求項４記載の足場用パネル連結具において、径可変連結具は半径の異なる２つの半縦割状パイプが対向し、それら２つの半縦割状パイプの対向間隔が調節ボルトによって相互に離間・接近させることにより縮径、拡径可能としたことを特徴とする足場用パネル連結具。
【発明の詳細な説明】
【技術分野】
【０００１】
本願発明は、建築、土木工事、道路橋梁工事、プラント工事、タンク工事といった各種工事現場において用いられる足場用パネルを連結するための治具（足場用パネル連結具）に関するものである。
【背景技術】
【０００２】
前記した各種工事現場では、多数枚の足場用パネルを連結して吊り足場や固定式足場の組み立てが行われている。足場用パネルの一例として特許文献１がある。この足場用パネルＡは、図１３に示すように、２本の細長な縦枠Ｂの長手方向（長さ方向）両端側に丸パイプ（フレームパイプ）Ｃが設けられ、両フレームパイプＣの間に補強横枠Ｄを備えた周枠の上面に、長方形の板材（例えば、金属平板、コンパネ材、エキスパンドメタル材、又はその他の板材））Ｅが固定されたものである。これら足場用パネルＡを連結して吊り足場を組む場合、狭幅方向（幅方向）に並べた足場用パネルＡの縦枠Ｂ同士を、連結具Ｆを介して連結し、長手方向に並べた足場用パネルＡのフレームパイプＣ同士をクランプで連結している。図１２に示すクランプは、二つの単クランプを背中合わせにして回転自在に連結したクランプ（通称自在クランプ）又は、二つの単クランプを背中合わせにして両クランプが回転しないように連結したクランプ（出願人は平行クランプという。）である。
【先行技術文献】
【特許文献】
【０００３】
【特許文献１】特許第２６４７８０２号公報
【発明の概要】
【発明が解決しようとする課題】
【０００４】
足場用パネルＡを図１３のように連結して吊り足場を組み立てた場合、吊り足場の長手方向（パネル連結方向）の長さが僅か（例えば５０ｃｍ或いは１ｍ）ばかり不足して吊り足場の作業面積が足りない場合がある。この場合、５０ｃｍ或いは１ｍの長さのパネルがあれば、それを吊り足場に連結すれば済むが、現在はそのような寸法の吊り足場用パネルが存在しないのでそのような連結はできない。この場合、吊り足場の組み立てに使用した図１３に示す足場用パネルＡを連結することが考えられる。足場用パネルＡは最短の長さで２ｍ、幅は６６ｃｍが基本寸法であるため図１３に仮想線で示すように横向きにして吊り足場に連結すれば前記寸法不足は補充できるが、特許文献１の図１３の連結具Ｆは狭幅方向に配置された足場用パネルＡのフレームパイプＣの側方開口部Ｈから挿入して足場用パネルＡ同士を連結するものであるため、図１３の仮想線のように配置した足場用パネルＡを連結具Ｆで吊り足場に連結することはできない。図１３のクランプ（以下、本願において、前記自在クランプと平行クランプを纏めて「連結クランプ」という。）は足場用パネルＡを長手方向に配置して隣接させたフレームパイプＣの外周に被せて図１２のように把持するものであるため、前記仮想線のように配置した足場用パネルＡのフレームパイプＣを把持することはできない。
【０００５】
前記足場用パネルＡと同じ形状、寸法のパネルを、図１３に仮想線で示すように吊り足場のパネル配列方向に直交させて連結する（継ぎ足す）ためには、補充パネルＪを吊り足場の先端部の上に重ね、その補充パネルＪの横に次の補充パネルＪを連結せざるを得なかった。この連結では吊り足場と補充パネルＪに段差があるため、作業者がその段差に躓くおそれがあり作業の安全性が確保されなかった。また、段差が吊り足場の上への資材の運び込みの邪魔になることもあった。
【課題を解決するための手段】
【０００６】
本願発明の足場用パネル連結具は、請求項１記載のように、足場用パネルに補充パネルを連結するのに使用される足場用パネル連結具であり、足場用パネルのパイプ（フレームパイプ）に連結可能な嵌合パイプの軸方向一端にクランプを備え、嵌合パイプはその一端がフレームパイプの外周に被せることができる開口部を備え、クランプはフレームパイプ又は単管パイプを保持・解放可能な開閉機構を備えたものである。
【０００７】
本願発明の足場用パネル連結具は、請求項２記載のように、足場用パネルに補充パネルを連結するのに使用される足場用パネル連結具であり、足場用パネルのフレームパイプに連結可能な嵌合パイプと径可変連結具とクランプを備え、径可変連結具は嵌合パイプの軸方向一端にその端部より外に突出して取り付けられ、足場用パネルのフレームパイプ内に差込んで拡径することによりフレームパイプの内面に接触可能であり、縮径することによりフレームパイプの内面から離すことができ、クランプはフレームパイプ又は単管パイプを保持・解放可能な開閉機能を備えたものである。
【０００８】
本願発明の足場用パネル連結具は、請求項３記載のように、足場用パネルに補充パネルを連結するのに使用される足場用パネル連結具であり、足場用パネルのフレームパイプに連結可能な嵌合パイプとベースとクランプを備え、嵌合パイプはその一端をフレームパイプに被せることができる開口部を備え、ベースは横長であり、嵌合パイプの軸方向一端にその一端を横切って取り付けられ、クランプはフレームパイプ又は単管パイプを保持・解放可能な開閉機構を備え、ベースに固定又は位置調節可能に一又は二以上取り付けられたものである。
【０００９】
本願発明の足場用パネル連結具は、請求項４記載のように、足場用パネルに補充パネルを連結するのに使用される足場用パネル連結具であり、足場用パネルのフレームパイプに連結可能な嵌合パイプと径可変連結具とクランプを備え、径可変連結具は嵌合パイプの軸方向一端にその端部より外に突出して取り付けられ、足場用パネルのフレームパイプ内に差込んで拡径することによりフレームパイプの内面に接触可能であり、縮径することによりフレームパイプの内面から離すことができ、ベースは横長であり、嵌合パイプの軸方向一端にその一端を横切って取り付けられ、クランプはフレームパイプ又は単管パイプを保持・解放可能な開閉機能を備え、ベースに固定又は位置調節可能に一又は二以上取り付けられたものである。
【００１０】
本願発明の足場用パネル連結具は、請求項５記載のように、前記請求項２又は請求項４記載の足場用パネル連結具において、径可変連結具は半径の異なる２つの半縦割状パイプが対向し、それら２つの半縦割状パイプの対向間隔が調節ボルトによって相互に離間・接近させることにより縮径、拡径可能としたものである。
【発明の効果】
【００１１】
本願の足場用パネル連結具は次のような効果がある。
（１）嵌合パイプの一端を足場用パネルのフレームパイプに連結できるため、足場用パネルに連結突起が突設されている場合は、その連結突起に嵌合パイプの開口部を被せるだけで足場用パネルに容易かつ確実に連結できる。
（２）嵌合パイプの一端に、縮径・拡径可能であり足場用パネルのフレームパイプ内に挿入可能な径可変連結具が突設されているので、足場用パネルに連結突起が突設されていなくても、径可変連結具を足場パネルのフレームパイプに差し込んでから拡径することで確実に足場用パネルに連結できる。
（３）嵌合パイプの他端に、フレームパイプ又は単管パイプを保持・解放可能なクランプがあるため、それらパイプの把持が容易かつ確実にできる。
（４）多数枚の足場用パネルを連結して組み立てられた作業足場の横に向きを変えて補充パネルを連結する場合に、嵌合パイプ又は径可変連結具を作業足場の足場用パネルのフレームパイプに連結し、クランプで単管パイプ（補助パイプ）を把持し、その補助パイプと補充パネルとを汎用の連結クランプで連結することにより、容易かつ確実に連結することができる。
（５）多数枚の足場用パネルを連結して組み立てられた作業足場の先方に向きを変えて補充パネルを連結する場合に、嵌合パイプ又は径可変連結具を補充パネルに連結し、クランプで補助パイプを把持し、その補助パイプと作業足場の足場用パネルのフレームパイプとを汎用の連結クランプで把持して連結することにより、容易かつ確実に連結することができる。
（６）嵌合パイプの軸方向一端にその一端を横切って取り付けたベースに、クランプが二以上取り付けられているので、作業足場の足場用パネルのフレームパイプを一つのクランプで把持する場合よりも確実に把持することができる。
（７）嵌合パイプの軸方向一端にその一端を横切って取り付けたベースに、クランプが位置調節可能に取り付けられているので、作業足場の足場用パネルのフレームパイプの所望位置を把持することができる。このため障害物があってもそれを避けて把持することができるという利便性がある。
（８）嵌合パイプは足場用パネルのフレームパイプに同一面で連結できるので、補充パネルを作業足場の上に重ねることなく同じ高さで連結でき、作業足場に段差ができず、作業し易く、足場の上への資材の搬入も容易になる。
【図面の簡単な説明】
【００１２】
【図１】（ａ）は本願発明の足場用パネル連結具の斜視図、（ｂ）はクランプを開いた状態の側面図。
【図２】（ａ）は足場用パネルの一例を示す斜視図、（ｂ）は（ａ）の足場用パネルのパイプに図１（ａ）の足場用パネル連結具の嵌合パイプを被せた状態の断面図。
【図３】本願発明の径可変連結具を備えた足場用パネル連結具の斜視図。
【図４】（ａ）は図３の足場用パネル連結具における径可変連結具の一例を示す正面図、（ｂ）は（ａ）の左側面図。
【図５】足場用パネルの他例を示す斜視図。
【図６】（ａ）は図５の足場用パネルのパイプに図３の足場用パネル連結具の径可変連結具を差し込んだ状態の断面図、（ｂ）は（ａ）のＡ−Ａ矢視図。
【図７】（ａ）は本願発明のクランプを二つ取り付けた足場用パネル連結具の斜視図、（ｂ）は図２（ａ）の足場用パネルのパイプに図７（ａ）の足場用パネル連結具の嵌合パイプを被せた状態の断面図。
【図８】（ａ）は径可変連結具を備えた足場用パネル連結具であって、ベースにクランプを二つ取り付けたものを示す斜視図、（ｂ）は図５の足場用パネルのパイプに図８（ａ）の足場用パネル連結具の径可変連結具を差し込んだ状態の断面図。
【図９】本願発明の足場用パネル連結具を用いてパネルを連結する場合の一例を示す平面図。
【図１０】本願発明の足場用パネル連結具を用いてパネルを連結する場合の一例を示す平面図。
【図１１】本願発明の足場用パネル連結具を用いてパネルを連結する場合の一例を示す平面図。
【図１２】連結クランプの一例を示す説明図。
【図１３】従来の吊り足場組み立て説明図。
【発明を実施するための形態】
【００１３】
本願発明の足場用パネル連結具の実施形態を、図面を参照して説明する。この足場用パネル連結具３０は図９〜図１１に示すように、多数枚の足場パネルＡを連結して（組み立てて）形成した作業足場の側方又は連結方向先方に、足場用パネルＡの配列方向と交叉する向き（図では９０度異なる向き）に補充パネルＪを連結する場合に使用するのに適するものである。
【００１４】
（足場用パネル連結具の実施形態１）
本願発明の足場用パネル連結具の第１の実施形態を図１に示す。この足場用パネル連結具３０は、嵌合パイプ１の軸方向一端にクランプ２を溶接や他の固定手段で取り付けた（固定した）ものである。
【００１５】
嵌合パイプ１は金属製の丸パイプであり、汎用の単管パイプを所望寸法に切断して使用することができる。嵌合パイプ１の一端の開口部３は、足場用パネルＡのフレームパイプ４（図２（ａ）では丸パイプ）から突設されている連結突起５に被せることができる内径である。図２（ａ）の連結突起５は図４（ａ）（ｂ）に示すように、断面視略Ｕ字形の大径の縦半割状パイプ１２の内側に、断面視略Ｕ字形の小径の縦半割状パイプ１３が、夫々の開口部を対向させて配置して全体として一本のパイプ状にし、両パイプ１２、１３の軸方向両端寄りの箇所に、上下方向に貫通する連結孔１４と抜け止め孔１５が貫通されている。また、小径の縦半割状パイプ１３の内面にナット２０（図４（ｂ））が固定され、大径の縦半割状パイプ１２の外側からナット２０に調節ボルト２１がねじ込まれ、その調節ボルト２１をねじ込んでその先端を大径の縦半割状パイプ１２の内面に押し付けると小径の縦半割状パイプ１３が押し上げられて、両パイプ１２、１３で構成されるパイプの直径が拡大（拡径）し、調節ボルト２１を緩めると小径の縦半割状パイプ１３が調節ボルト２１に沿って降下して両パイプ１２、１３で構成されるパイプの直径が縮小（縮径）するようにしてある。
【００１６】
前記連結突起５はその連結孔１４側が図２（ｂ）のように足場用パネルＡのフレームパイプ４に差し込まれ、そのフレームパイプ４の外から連結孔１４に止め軸１６が差し込んで貫通され、フレームパイプ４の底面から外まで突出した止め軸１６の止め軸先端部１７に止めピン１８を差し込んで、連結突起５がフレームパイプ４から抜けないようにしてある。また、連結突起５の外周に図１（ａ）に示すパネル連結具３０の嵌合パイプ１を図２（ｂ）のように被せてから、調節ボルト２１をねじ込むと拡径して両縦半割状パイプ１２、１３の外周面が嵌合パイプ１の内面に接触し、この状態で調節ボルト２１を逆回転させると連結突起５の直径が縮径して両縦半割状パイプ１２、１３の外周面が嵌合パイプ１の内面から離れるようにしてある。前記拡径状態で図２（ｂ）のように嵌合パイプ１の差込孔１ａから連結突起５の抜け止め孔１５に汎用のグラビティロック２２を差し込んで嵌合パイプ１の下方まで突出させると嵌合パイプ１から抜けなくなるようにしてある。
【００１７】
クランプ２は汎用のものであり、正面視略Ｌ字形の金属製の本体６に、金属製の開閉具７が開閉可能に取り付けられており、開閉具７には調節ボルト８を出し入れ可能な嵌合溝９が開口されている。開閉具７は本体６側に起こして嵌合溝９に調節ボルト８を嵌め、ナット１０を締め付けると図１（ａ）のように起立状態に保持されて、前記フレームパイプ４や汎用の単管パイプ（補助パイプ）１９（図９）を把持でき、ナット１０を緩めると図１（ｂ）のように開いて前記補助パイプ１９の把持を解放できるクランプ機能を備えている。
【００１８】
（足場用パネル連結具の実施形態２）
本願発明の足場用パネル連結具の第２の実施形態を図３に示す。この足場用パネル連結具３０は、基本的構成において図１（ａ）（ｂ）に示すものと同じであり、異なるのは、嵌合パイプ１の軸方向一端に縮径・拡径可能な径可変連結具１１が突設されていることである。
【００１９】
径可変連結具１１は図４（ａ）（ｂ）に示すように、断面視略Ｕ字形の大径の縦半割状パイプ１２の内側に、断面視略Ｕ字形の小径の縦半割状パイプ１３が、夫々の開口部を対向させて配置されて全体として一本のパイプ状にしてある。両縦半割状パイプ１２、１３の軸方向両端寄りの箇所には上下方向に貫通する連結孔１４と抜け止め孔１５が形成されている。連結孔１４には止め軸１６が差し込まれ、大径の縦半割状パイプ１２の底面から外まで突出した止め軸先端部１７に止めピン１８を差し込んで、止め軸１６が連結孔１４から抜けず、両縦半割状パイプ１２、１３が分離しないようにしてある。
【００２０】
径可変連結具１１は小径の縦半割状パイプ１３の内面にナット２０が固定され、その縦半割状パイプ１３の外側からナット２０に調節ボルト２１がねじ込まれ、その調節ボルト２１をねじ込んでその先端を大径の縦半割状パイプ１２の内面に押し付けると小径の縦半割状パイプ１３が押し上げられて、両縦半割状パイプ１２、１３で構成されるパイプの直径が拡大（拡径）し、調節ボルト２１を緩めると小径の縦半割状パイプ１３が調節ボルト２１に沿って降下して両縦半割状パイプ１２、１３で構成されるパイプの直径が縮小（縮径）するようにしてある。この構成とすることにより、径可変連結具１１は図５に示す足場用パネルＡのフレームパイプ４に差込んでから、調節ボルト２１をねじ込むと拡径して図６（ａ）（ｂ）のように両縦半割状パイプ１２、１３のフレームパイプ４の内面に接触してフレームパイプ４に保持され、この状態で調節ボルト２１を逆回転させると径可変連結具１１の直径が縮径して両縦半割状パイプ１２、１３の外周面がフレームパイプ４の内面から離れるようにしてある。前記拡径状態で、図６（ａ）のようにフレームパイプ４の外側から径可変連結具１１の抜け止め孔１５に汎用のグラビティロック２２を差し込んでフレームパイプ４の下方まで突出させるとフレームパイプ４に確実に係止されて、フレームパイプ４から抜けなくなる。
【００２１】
（足場用パネル連結具の実施形態３）
本願発明の足場用パネル連結具の第３の実施形態を図７（ａ）（ｂ）を参照して説明する。この足場用パネル連結具３０は、嵌合パイプ１の軸方向一端に横長板状のベース２５を嵌合パイプ１の端部と交差させて（図７（ａ）では横向きに直交させて）取り付け、ベース２５の長手方向両端に汎用のクランプ２を取り付けた（固定した）ものである。この場合、図７（ｂ）のようにナット２６が固定されている取付け板２７を、ナット２６を内側にして嵌合パイプ１の軸方向一端外側に配置し、取付け板２７の外側に配置した横長板状のベース２５の外側から前記ナット２６にボルト２８をねじ込むことにより、ベース２５を取付け板２７に取り付けると共に取付け板２７を嵌合パイプ１に取付け（固定）してある。ベース２５の止め孔２９は長孔にして、ボルト２８を緩めて取付け板２７へのベース２５の固定を緩めるとベース２５がその長手方向にスライドできるようにしてあり、所望位置でボルト２８を締め直すとベース２５をその位置に固定できるようにしてある。嵌合パイプ１、クランプ２は実施形態１、２のそれらと同じものであり、図７（ａ）ではクランプ２がベース２５に２つ取り付けられている。クランプ２の取り付け数は１つ又は３つ以上のいずれでもよい。
【００２２】
（足場用パネル連結具の実施形態４）
本願発明の足場用パネル連結具の第４の実施形態を図８（ａ）（ｂ）を参照して説明する。この足場用パネル連結具３０の基本的構成は実施形態３の足場用パネル連結具３０（図７（ａ））と共通であり、異なるのは、嵌合パイプ１の他端に径可変連結具１１を取り付けたことである。この径可変連結具１１は図３の径可変連結具１１と同じ構成、作用、機能である。
【００２３】
（本発明の足場用パネル連結具の使用例１）
本発明の足場用パネル連結具３０の使用例１を図９に基づいて説明する。図９は足場用パネルＡを同じ方向に並べて連結して形成された作業足場Ｉの横に、９０度向きを変えて、足場用パネルＡと同じパネル（補充パネル）Ｊを連結する場合の使用例である。この場合、足場用パネルＡのフレームパイプ４から図２（ａ）のように連結突起５が突出している場合は、図１の足場用パネル連結具３０を使用して次のようにして他の足場用パネルＡを連結することができる。
【００２４】
（１）図９に示す作業足場Ｉの外側の足場用パネルＡのフレームパイプ４から突出している連結突起５（図２（ａ））の外周に、足場用パネル連結具３０の嵌合パイプ１を図２（ｂ）のように被せる。
（２）図２（ｂ）のように、グラビティロック２２を嵌合パイプ１の差込孔１ａから差し込んで連結突起５を貫通させて、足場用パネル連結具３０を前記外側の足場用パネルＡのフレームパイプ４に連結する（図９）。
（３）連結突起５（図２（ａ））の調節ボルト２１をねじ込んで連結突起５を拡径させて、連結突起５を構成する縦半割状パイプ１２、１３の外周面を嵌合パイプ１の内周面に圧接させて、嵌合パイプ１を足場用パネルＡのフレームパイプ４に連結する（図９）。
（４）図９のように連結された足場用パネル連結具３０のクランプ２で、補助パイプ１９をクランプして、補助パイプ１９を作業足場Ｉの足場用パネルＡの側方に取り付ける。
（５）図９の補助パイプ１９と、予め、狭幅方向に連結してある二枚以上の補充パネルＪのフレームパイプ４に連結クランプＧ（図１２）の一方のクランプで把持する。
（６）前記連結クランプＧ（図１２）の他方のクランプで前記補助パイプ１９を把持して両パイプを連結し、補充パネルＪを作業足場Ｉに連結する。
（７）図９のように連結した足場用パネルＡ間の隙間、作業足場Ｉと補充パネルＪの間の隙間にはカバー（図示しない）を被せて被覆するのがよい。
【００２５】
（本発明の足場用パネル連結具の使用例２）
本発明の足場用パネル連結具の使用例２を図１０に基づいて説明する。図１０は足場用パネルＡを狭幅方向（横方法）に並べて連結して形成された作業足場Ｉの先方に、９０度向きを変えて、足場用パネルＡと同じ補充パネルＪを連結する場合の使用例である。この場合、図５のように足場用パネルＡのフレームパイプ４が開口している場合は、図３の足場用パネル連結具３０を使用して次のようにして補充パネルＪを連結することができる。
【００２６】
（１）作業足場Ｉに連結する補充パネルＪのフレームパイプ４の側方開口部Ｈに、図３の足場用パネル連結具３０の径可変連結具１１を図６（ａ）のように差し込む。
（２）調節ボルト２１をねじ込んで径可変連結具１１を拡径させて、径可変連結具１１を構成する二本の縦半割状パイプ１２、１３の外周面を補充パネルＪのフレームパイプ４の内周面に圧接させる。
（３）図６（ａ）のようにグラビティロック２２を嵌合パイプ１の抜け止め孔１５から差し込んで径可変連結具１１を貫通させて、足場用パネル連結具３０を補充パネルＪのフレームパイプ４に連結する（図１０）。
（４）図１０のように補充パネルＪに固定された足場用パネル連結具３０のクランプ２で補助パイプ１９をクランプして、補助パイプ１９を補充パネルＪの側方に取り付ける。
（５）図１０の補助パイプ１９と、予め狭幅方向に並べて連結してある作業足場Ｉの足場用パネルＡのフレームパイプ４とを連結クランプＧ（図１２）で把持して、両パイプ１９、４を連結して、補充パネルＪを作業足場Ｉに連結する。
（６）図１０のように連結した作業足場Ｉと補充パネルＪの間の隙間にはカバー（図示しない）を被せて被覆するのがよい。
【００２７】
（本発明の足場用パネル連結具の使用例３）
本発明の足場用パネル連結具の使用例３を図１１に基づいて説明する。図１１も狭幅方向に並べて連結してある作業足場Ｉの先方に、９０度向きを変えて補充パネルＪを連結する場合の使用例である。この場合、図２（ａ）のように、足場用パネルＡのフレームパイプ４から連結突起５が突出している場合は、図７の足場用パネル連結具３０を使用して、次のようにして補充パネルＪを連結することができる。
【００２８】
（１）図１１のように、作業足場Ｉの足場用パネルＡのフレームパイプ４から突出している連結突起５（図２（ａ））の外周に、図７（ａ）の足場用パネル連結具３０の嵌合パイプ１を図７（ｂ）のように被せる。
（２）図７（ｂ）の調節ボルト２１をねじ込んで径可変連結具１１を拡径させて、径可変連結具１１を構成する二本の縦半割状パイプ１２、１３の外周面を嵌合パイプ１の内周面に圧接させる。
（３）図７（ｂ）のように、グラビティロック２２を嵌合パイプ１の差込孔１ａから差し込んで径可変連結具１１を貫通させて、足場用パネル連結具３０を補充パネルＪのフレームパイプ４に連結する（図１１）。
（４）図１１のように、補充パネルＪに固定された夫々の足場用パネル連結具３０の二つのクランプ２で作業足場Ｉの足場用パネルＡの先端側のパイプを把持して補充パネルＪを作業足場Ｉに連結する。この場合、必要に応じてボルト２８（図７（ａ））を緩めてベース２５を左又は右にスライドさせて所定位置に停止させ、その位置でボルト２８を締め付けてベース２５を固定して、ベース２５に取り付けられているクランプ２で作業足場Ｉの足場用パネルＡのフレームパイプ４の所望箇所を把持する。
（５）図１１のように補充パネルＪと作業足場Ｉの間にできた隙間には、カバー（図示しない）を被せて被覆することができる。
【００２９】
（足場用パネル連結具の使用例４）
前記使用例３は図７の足場用パネル連結具３０を使用する場合であるが、前記使用例３において、補充パネルＪの足場用パネルＡのフレームパイプ４の端面が図５のように開口している場合は、図８の足場用パネル連結具３０を使用することができる。この場合は次のようにして補充パネルＪを連結する。
【００３０】
（１）補充パネルＪのパイプ側方開口部Ｈに、図８（ａ）の足場用パネル連結具３０の径可変連結具１１を差し込む図８（ｂ）。
（２）図８（ｂ）の調節ボルト２１をねじ込んで径可変連結具１１を拡径させて、径可変連結具１１を構成する二本の縦半割状パイプ１２、１３の外周面を嵌合パイプ１の内周面に圧接させる。
（３）図８（ｂ）のように、グラビティロック２２を足場用パネルＡのフレームパイプ４の上面上方から差し込んで径可変連結具１１を貫通させて、足場用パネル連結具３０を補充パネルＪのフレームパイプ４に連結する。
（４）補充パネルＪに固定された夫々の足場用パネル連結具３０の二つのクランプ２で、予め形成されている作業足場Ｉの足場用パネルＡのフレームパイプ４を把持して補充パネルＪを作業足場Ｉに連結する。この場合も、必要に応じてボルト２８（図８（ａ））を緩めてベース２５を左又は右にスライドさせて所定位置に停止させ、その位置でボルト２８を締め付けてベース２５を固定して、ベース２５に取り付けられているクランプ２で作業足場Ｉの足場用パネルＡのフレームパイプ４の所望箇所を把持する。
（５）補充パネルＪと作業足場Ｉの間にできた隙間には、カバー（図示しない）を被せて被覆することができる。
【００３１】
（足場用パネル連結具のその他の実施形態）
前記実施形態１及び２では、補充パネルＪを、クランプ２で把持された補助パイプ１９を介して、連結クランプＧで作業足場Ｉに連結する場合を一例として説明したが、実施形態３、４のように補助パイプ１９及び連結クランプＧを用いることなく、クランプ２を直接フレームパイプＣに連結することもできる。前記実施形態３及び４では、補充パネルＪを補助パイプ１９も、連結クランプＧも使用せずにフレームパイプ４に連結する場合を示したが、実施形態１及び２のように補助パイプ１９と連結クランプＧを使用して連結することもできる。
【符号の説明】
【００３２】
１      嵌合パイプ
１ａ    差込孔
２      クランプ
３      開口部
４      フレームパイプ
５      連結突起
６      本体
７      開閉具
８      調節ボルト
９      嵌合溝
１０    ナット
１１    径可変連結具
１２    縦半割状パイプ
１３    縦半割状パイプ
１４    連結孔
１５    抜け止め孔
１６    止め軸
１７    止め軸先端部
１８    止めピン
１９    補助パイプ
２０    ナット
２１    調節ボルト
２２    グラビティロック
２５    ベース
２６    ナット
２７    取付け板
２８    ボルト
２９    止め孔
３０    足場用パネル連結具
Ａ      足場用パネル
Ｂ      縦枠
Ｃ      フレームパイプ
Ｄ      補強横枠
Ｅ      板材
Ｆ      連結具
Ｇ      連結クランプ
Ｈ      側方開口部
Ｉ      作業足場
Ｊ      補充パネル
【図１】
2011106125.tif 000003
【図２】
2011106125.tif 000004
【図３】
2011106125.tif 000005
【図４】
2011106125.tif 000006
【図５】
2011106125.tif 000007
【図６】
2011106125.tif 000008
【図７】
2011106125.tif 000009
【図８】
2011106125.tif 000010
【図９】
2011106125.tif 000011
【図１０】
2011106125.tif 000012
【図１１】
2011106125.tif 000013
【図１２】
2011106125.tif 000014
【図１３】
2011106125.tif 000015